(57)【要約】      （修正有）【課題】寝たきりの介護者を介護する時、関連する介護用具を一つの枠内に設置し、単独で介助できるようにした多目的老老介護用具を提供する。【解決手段】介護者を容易に吊り上げ移動させるためホイスト５を設け、それに吊り枠６、吊りベルト４０を使用する。排泄処理は排泄洗浄吸引処理機８等を設ける。床ずれ防止には、左右半身交互上下動装置等を設け、介護者にローリング運動を与え、予防する。寝たきりの介護者を入浴させる時は、寝ている介護者の下に隙間を作り吊りベルト４０を容易に通すため、かまぼこを並べ設けたベルト通し具を介護者の下に置き、そのかまぼこ間の隙間に吊りベルトを通し、かつ吊り枠６にかけてホイスト５で吊り上げ、浴槽１０に移動して降ろし入浴させることを特徴とする。【選択図】図１
2013121475.tif 000002
【特許請求の範囲】
【請求項１】
任意の素材で任意形に形成した介護用具設置ベース１を設け、その両端に支柱２を設けるとともに、その支柱２の上部にレール３を架け渡し、かつ、そのレール３に、吊り上げ移動手段の、ホイスト５を設けて、各関連する介護用具をレール３の下に沿った状態に設置して、介護者を単独で介護できるようにした多目的老老介護用具。
【請求項２】
排泄洗浄吸引処理機８を、任意形状の台車１２の下部に、バキューム機１３を内蔵した、バキューム消臭ボックス１３Ａを設け、かつ、その前方上部にバキュームタンク１５を設けると共に、その下部前方に排水栓１５Ａをトイレの便座よりも高い位置になるように設ける。該バキュームタンク１５は、前記バキューム消臭ボックス１３Ａの中に設けた、バキューム機１３とバキュームホース１４で連結する。バキュームタンク１５の適宜位置に汚水吸引ホース１６を設けて取り付け、かつその先端に汚水吸引口１８を設けた洗浄汚水受１７を設けて取り付ける。バキュームタンク１５の後方の適宜位置にミスト機１９を設けて取り付け、かつそれに連結された送水パイプ２０の先端に洗浄ノズル２１を取り付ける。また洗浄ノズル２１に併設して柔らかな刷毛２２を設けて取り付け、前記、吊り上げ移動手段のホイスト５で介護者の両脚を吊り上げ、排泄処理をするようにした、請求項第１記載の多目的老老介護用具。
【請求項３】
左右半身交互上下動装置９の、基台３１を適宜形状に形成し、介護ベッド７の上に、前方、中央、後方の位置に３分割して設け、かつ、それらを複数個の蝶番３０Ａで連結する。基台３１の上面の右方位置に、適宜形状の押板２３と、同じくその対象位置に上板２４を設けてその両方を複数個の蝶番２５で連結する。また、上板２４の適宜位置に複数個の回動部２４Ａを設けて、基台３１上面の中央寄りの適宜位置に固定する。また押板２３の下面中央にバランス車２３Ａを複数個設けて取り付けるとともに、該押板２３の後方の適宜位置に複数個の押車２３Ｂを設けて取り付ける。押板２３の一方に牽引するワイヤー２７を設けてその一方を押板２３の端の所要位置に連結する。また該ワイヤー２７は、ガイド車２６に掛けるとともに駆動チエーン３２の回動部３４に連結する。駆動チエーン３２はスプロケット３３に直結した減速モーター（不図示）によって駆動される。また、基台３１の上面の左位置にも、前記と同じ構造の押板２３と上板２４を設けて取り付けると共に、前記蝶番２５で連結しワイヤー２８を設けて、ワイヤー２７と同じく回動部３３に連結して往復運動を行うようにする。また、ワイヤー２７とワイヤー２８は基台３１の中央を通り、対称とする押板２３両方のそれぞれの所要位置に連結する。また、ワイヤーの張る、緩める。の調節は、各ワイヤーに取り付けたターンバックル２９で調節可能にし、介護者を前記、吊り上げ移動手段のホイスト５と組み合わせて左右半身交互上下動装置上に乗降させるようにした  請求項第１記載の多目的老老介護用具。
【請求項４】
浴槽１０の長手寸法よりやや長くし、かつ長方形に形成した吊り枠６を設けると共に、その長手方向の両側中央に中折れ部６Ａを設けて屈折可能にする。また吊り枠６の長手方向の両側に、適宜間隔を置いてハト目掛具３８Ａを複数個設けて取り付ける。また吊り枠６の適宜位置に、吊りロット６Ｂと吊りロープ６Ｃを複数本設けて適宜位置に取り付け、前記、吊り上げ移動手段のホイスト５で吊り上げるようにした、請求項第１記載の多目的老老介護用具。
【請求項５】
吊りシーツ３５を任意素材で適宜寸法に形成し、その長手方向の左右にハト目３６を設ける。該ハト目３６は、前記、ハト目掛具３８Ａの位置に合わせて必要数を設け、前記、請求項４の吊り枠６に掛けるようにした請求項第１記載の多目的老老介護用具。
【請求項６】
ベルト掛け具３７を、任意素材で長方形に形成してかまぼこ下板３８を設け、かつその上に、かまぼこ形状に形成した、かまぼこ３９を複数個設けて、前記、かまぼこ下板３８上の長手方向に適宜間隔を置き枕木状に並べて取り付け、介護者を裸にして入浴させる時、体の下に吊りベルト４０を容易に通し、前記ホイスト５で吊り上げるようにした、請求項第１記載の多目的老老介護用具。
【請求項７】
吊りベルト４０を滑らかな素材で適宜寸法に形成し、その両端の適宜位置にハト目３６を設けると共に、適宜形状に形成したベルトガイド４１を設け、かつその一方に吊りベルト４０のハト目３６を掛けて引けるようにしたハト目掛具突起４２を設け、前記、請求項６のベルト掛け具３７のかまぼこ３９間に、吊りベルト４０を容易に挿入するようにした、請求項第１記載の多目的老老介護用具。
【発明の詳細な説明】
【技術分野】
【０００１】  この発明は、介護作業の排泄処理、床ずれ防止、入浴介助等の用具に関するものである。
【背景技術】
【０００２】  従来の介護作業では、排泄処理時におむつを外してから、尻の間に付着した汚物を取り除くため、濡れタオル等で何度も拭き取りを行っている。また体を清潔にするために入浴するが、入浴には一部用具も使用するが殆どが複数の介助者で入浴介助を行っている。【０００３】  床ずれ防止には、人の手で２時間置きに体位交換をする方法。あるいは体位交換用のマットの使用。または、チューブに空気を入れて膨らませ、左右半身を交互に上げて一定時間停止させて体位交換をするマット等がある。
【発明の概要】
【発明が解決しようとする課題】
【０００４】  排泄処理作業で、おむつを外した後は濡れタオル等で拭き取るが、股間の皮膚が重なる間にある汚れは容易に取れない。きれいに汚れを取って洗浄しなければ炎症をおこす。また排泄処理時に発生する臭気は周囲に迷惑をかける。排泄処理には、簡単で効率の良い排泄洗浄処理用具が要望されている。また、寝たきりの介護者は床ずれを起こしやすい。発症して重度になると治るのに数か月かかる。床ずれを防止するため、２時間置きに人手で体位交換をしているが、真夜中の作業になると容易ではない。また、複数の人で慎重に体位交換をしないとずれが生じて床ずれを起こす。他には体位交換用の器具もあるが、床ずれ予防のため、より使いやすく、効率の良い用具の開発が求められている。また介護者の入浴には複数の介助者が必要となるため、介護者が入浴したいという希望は制限される。従って、一人の介助者で入浴介助が可能な用具の開発が望まれている。一日の介護作業の中で排泄処理、床ずれ防止、入浴等は重要であり、単独で介助できることが望ましい。
【課題を解決するための手段】
【０００５】  任意の素材で任意形に形成した介護用具設置ベース１を設け、その両端に支柱２を設けるとともに、その支柱２の上部にレール３を設けて架け渡し、介護者６Ｈを吊り上げ移動可能にする。そのレール３の下方には、関連する介護用具をレール３に沿った状態に設置する。また、前記、介護用具設置ベース１の外周に沿った形状の枠を設け、かつその枠を支柱２の上部に取り付けて（不図示）、その枠にビニールを張れば密封された風除室ができる。さらに浴槽１０を仕切るビニールを張り、そこに温風を入れれば温室になり、介護者は冬季でもゆっくりと入浴できる。また、排気ダクトを付ければ浴室から出る湯気を排出し、室内を湿気から守ることができる。上記の風除室（不図示）は、特に冬季の介護で介護者を保護する。【０００６】  前記、介護用具設置ベース１の上に、レール３下の方向に沿って排泄洗浄吸引処理機８を設け、かつ並列状態に置いたベッド７の上に左右半身交互上下動装置９を設けて載置する。また洗台１１を併設した浴槽１０を設けて、前記レール３の下に、ベッド７から間をおいて設置する。レール３の上には移動車４を取り付けたホイスト５を設け、かつその下に吊り枠６を設けて取り付ける。【０００７】  排泄処理の排泄洗浄吸引処理機８は、任意形状の台車１２の下部に、バキューム機１３を内蔵した、バキューム消臭ボックス１３Ａを設け（消臭剤不図示）、かつ、その前方上部にバキュームタンク１５を設けると共に、その下部前方に排水栓１５Ａを設ける。該、排水栓１５Ａは、トイレにある便座よりも高くして、そこに排水できるようにしている。前記バキュームタンク１５は、前記バキューム消臭ボックス１３Ａの中に設けた、バキューム機１３とバキュームホース１４で連結し通気する。バキュームタンク１５には吸引ホース１６を設けて取り付け、かつその先端に汚水吸引口１８を設けた洗浄汚水受１７を設けて取り付ける。バキュームタンク１５の後方の適宜位置にミスト機１９を設けて取り付け、かつ付属の送水パイプ２０の先端に洗浄ノズル２１を取り付ける。また洗浄ノズル２１の下方に柔らかな刷毛２２を併設する。また排泄処理用具として、開脚吊り具２１Ａと両脚吊りベルト２２Ａを設けてホイスト５に連結して、介護者６Ｈの両脚を吊り上げて開脚させ、かつ腰を浮かせて排泄処理作業を容易にする。【０００８】床ずれを予防するため、左右半身交互上下動装置９を設ける。基台３１を適宜形状に形成し、介護ベッド７の上に、前方、中央、後方の位置に３分割して設け、かつ、それらを複数個の蝶番３０Ａで連結する。中央の基台３１は、介護ベッド７に合わせて長さ寸法をやや短くする。この左右半身交互上下動装置９は、基台３１の上面の右方位置に、適宜形状の押板２３と、同じくその対象位置に上板２４を設けてその両方を複数個の蝶番２５で連結する。また、上板２４の適宜位置に複数個の回動部２４Ａを設けて、基台３１上面の中央寄りの適宜位置に固定する。また押板２３の下面中央にバランス車２３Ａ（押板２３がワイヤーで引かれると、シーソーの原理で蝶番２５が跳ね上がり引く力を助ける）を複数個設けて取り付けるとともに、該押板２３の後方の適宜位置に複数個の押車２３Ｂを設けて取り付ける。押板２３の一方を牽引するワイヤー２７を設けてその一方を押板２３の端の所要位置に連結する。また該ワイヤー２７は、ワイヤーガイド車２６に掛けるとともに、駆動ボックス９Ａ内に設けた、駆動チエーン３２の回動部３４に連結する。駆動チエーン３２はスプロケット３３に直結した減速モーター（不図示）によって駆動される。また、基台３１の上面の左位置にも、前記と同じ構造の押板２３と上板２４を設けて取り付けると共に、前記蝶番２５で連結しワイヤー２８を設けて、ワイヤー２７と同じく回動部３３に連結して往復運動を行うようにする。また、ワイヤー２７とワイヤー２８は基台３１の中央を通り、対称とする押板２３両方のそれぞれの所要位置に連結する。また、ワイヤーの張る、緩める。の調節は、各ワイヤーに取り付けたターンバックル２９で調節する。また、蝶番２５で連結された押板２３と上板２４は通常は略平らであるが、ワイヤーで牽引されると三角山を作り、戻すと平らになる。また三角山の高さ調節は、前記のターンバックル２９を回して調節できる（ワイヤーを張ると高くなり、緩めると低くなる）。また、前記、三角山を形成する押板２３と上板２４の組み合わせが、各基台３１三枚の上面対称位置に設置されるから、総数６カ所となり、それに連結した各ワイヤーをターンバックル２９で調節すると、前記、各三角山の上下運動の高さに変化を持たせることが可能となる。【０００９】  介護者６Ｈを水平に吊り上げて入浴させるため、浴槽１０よりやや長くして、長方形に形成した吊り枠６を設け、かつその長手方向の中央付近に中折れ部６Ａを設けて屈折可能にする。また吊り枠６の長手方向の両側に、適宜間隔を置いてハト目掛具突起３８Ａを複数個設けて取り付ける。また吊り枠６の中折れ部６Ａに適宜長さの吊りロット６Ｂを設け、その両側の適宜位置にも吊りロープ６Ｃを設けて上部で合わせ吊れる状態に取り付ける。【００１０】介護者６Ｈを容易に吊り上げるため、吊りシーツ３５を任意素材で適宜寸法に形成し、その長手方向の左右にハト目３６を、前記ハト目掛具突起３８Ａの位置と合わせて必要数を設ける。この吊りシーツ３５は、介護者６Ｈが着ている寝巻の下に常に敷いて寝る。吊り上げる時は、前記ハト目３６をハト目掛具突起３８Ａに掛けて吊り上げる。【００１１】  介護者６Ｈを容易に入浴させるためのベルト通し具３７を、任意素材で長方形に形成したかまぼこ下板３８を設け、かつその上に、かまぼこ形状に形成した、かまぼこ４０を複数個設けて、かまぼこ下板３８の長手方向に適宜間隔を置き枕木状に並べて取り付ける。このベルト通し具３７は、寝ている介護者６Ｈの下に吊りベルト４０を通し易くする。【００１２】入浴のため、介護者６Ｈを裸にして吊り上げる吊りベルト４０を、滑らかな素材で適宜寸法に形成し、その両端の適宜位置にハト目３６を設ける。また、吊りベルト４０を体の下に通すため、適宜形状に形成したベルトガイド４１を設け、かつその一方にハト目３６を掛けて引けるようにしたハト目掛具突起４２を設ける。本発明は、各介護用具を一つの枠内に設置し、かつ前記レール３の下に沿って並べるようにして、介護者を、一人の介助者で介護可能にする。
【発明の効果】
【００１３】  老人が老人を介護する場合体力のない老人でも、本発明の多目的老老介護用具で介護すれば、排泄処理、床ずれの予防、入浴介助等の作業を、介助者は介護者６Ｈをまったく抱えることなく一人で容易に介護することができる。【００１４】  排泄処理作業では、開脚吊り具２１Ａと連結した、開脚吊りベルト２２Ａを両脚に巻き、ホイスト５で引き上げると、介護者６Ｈの両脚は、用具の開脚機能から吊り上げると自動的に両脚が開き、かつ下半身を容易に浮かせることができる。従っておむつ交換も、排泄洗浄処理も容易になる。排泄後の洗浄には、排泄洗浄吸引処理機８のバキューム機１３とミスト機１９を作動させて、おむつを取り外した後、尻部に付着した汚れを、洗浄ノズル２２を利用して洗浄水を噴射し洗浄する。また、洗浄ノズル２１に併設した洗い用の刷毛２２の併用で洗浄効率がよく、洗浄で出た汚水と臭気は、バキューム機１３の吸引によって、洗浄汚水受け１７の汚水吸引口１８から吸い上げられ、かつ汚水吸引ホース１６を通り、汚水１５Ｃはバキュームタンク１５に溜り、臭気は吸引されて臭気ボックス１３Ａに入り消臭されて排気される。（消臭剤不図示）この効果により、従来排泄処理作業で周囲に悪影響を与えていた臭気の問題も解消される。また、排泄処理に洗浄水を噴射して洗浄する方法は作業が早く、股間の皮膚が重なる間に入った汚れも、刷毛２２の併用で容易に落とせるから、洗浄後は清潔であり皮膚に炎症を起こさない。【００１５】  床ずれの予防には、本発明の左右半身交互上下動装置９作動させると、寝たきり介護者６Ｈの下から、左右の半身を交互にゆっくりと押し上げる運動（ローリング運動）が発生するから、体に対し、押し上げる、下げる、の動きの中から、介護者６Ｈの筋肉に刺激を与え、かつ、血行を促進するので、床ずれを予防することができる。また、介護者６Ｈの布団の下が上下動するため空気の循環が起こり、布団等の蒸れを防止する。また、ローリング運動の作動時間はタイマー９Ｂ（不図示、４連タイマーと停止用リミットスイッチ）の設定により、自由に作動と停止を行うことができる。また、ローリング運動停止後における介護者６Ｈの停止姿勢も、水平位置停止、および体位交換の位置停止を自由に設定できる。従って、介護者６Ｈが長期の寝たきりであっても、上記の作動、停止の設定を図れば、比較的良好な状態を維持できるので、介助者の床ずれ防止に関わる労苦は減じられる。
更に、前記ローリング運動は静かにゆっくりと上下動するから、介護者の睡眠を誘う効果もある。【００１６】  介護者６Ｈの入浴介助には、ベッド上に敷いた吊りシーツ３５上に寝ている介護者６Ｈを、吊り枠６に、吊りシーツ３５を掛けて吊り上げ、かつ、その下にベルト通し具３７を置き、吊り枠６を降ろす。その状態になると、かまぼこ４０の間に隙間が出来るから、吊りベルト４０をベルトガイド４１に掛けて介護者６Ｈの下に通すことができる。通した吊りベルト４０はその両端にあるハト目３６を、前記のハト目掛け具３８Ａに掛けて介護者６Ｈを吊り上げ、かつレール３上を移動させて浴槽１０へ降ろし入浴させる。この時、吊り枠６の中折部６Ａが屈折し、吊り枠６の頭部の方は浴槽の上部に掛かって出て、脚の方の吊り枠６は浴槽１０底の角に当たり吊り枠６全体が固定される。従って介護者６Ｈは、上体が斜めにリクライニングした姿勢になるから浴槽に沈むことなく、肩から上をお湯から出した安全な状態で入浴できる。介助者は、介護者６Ｈを支えなくてよい。また、洗う場合は介護者６Ｈをそのまま吊り上げて、併設の洗台１１を浴槽上に置いて洗うことができる。従来のやり方で介護者６Ｈを入浴させる場合は、複数の介助者が必要になるが、本発明では、一人の介助者で入浴させることが可能である。
【図面の簡単な説明】
【００１７】
【図１】  本発明の関連した介護用具の設置状態を示す正面図である。
【図２】  本発明の一部を切り欠き入浴状態を示す側面図である。
【図３】  本発明の排泄洗浄吸引処理機の側面図である。
【図４】  本発明の排泄洗浄汚水吸引の要部を示す平面図である。
【図５】  本発明の開脚吊り具を示す正面図である。
【図６】  本発明の左右半身交互上下動装置の要部を示す正面図である。
【図７】  本発明の同一符号省略の左右半身交互上下動装置を示す平面図である。
【図８】  本発明の吊り枠を示す側面図である。
【図９】  本発明の吊りシーツを示す平面図である。
【図１０】  本発明のベルト通し具を示す側面図である。
【図１１】  本発明の吊りベルト及びベルトガイドを示す平面図である。
【発明を実施するための形態】
【００１８】以下、本発明を実施するための形態について説明する。
図１のように、任意の素材で任意形に形成した介護用具設置ベース１を設け、その両端に支柱２を設けるとともに、その支柱２の上部にレール３を架け渡し、介護者６Ｈを吊り上げ移動可能にする。そのレール３の下方には、本発明の関連介護用具の、排泄洗浄吸引処理機、左右半身交互上下動装置、浴槽等をレール３の下に沿った状態にして設置する。
【０００１９】  前記、介護用具設置ベース１の一方端に排泄洗浄吸引処理機８を設け、かつ、その横の並列状態に置いたベッド７の上に左右半身交互上下動装置９を設けて載置する。該左右半身交互上下動装置９はベッド７の上に置くだけでよい。駆動ボックス９Ａは、ベッド７の脚側に沿わして置き、前記、左右半身交互上下動装置９とワイヤーで連結する。
洗台１１を、前記吊り枠６が収まるサイズに形成し、浴槽１０に併設するとともに、それらを前記ベッド７から間をおいて並列に設置する。レール３の上には移動車４を取り付けたホイスト５を設け、かつその下に吊り枠６を設けて取り付け移動可能にする。
【００２０】介護作業で最も難儀とする排泄処理に供する、排泄洗浄吸引処理機８は、任意形状の台車１２の下部に、バキューム機１３を内蔵した、バキューム消臭ボックス１３Ａを設け、かつ、その前方上部にバキュームタンク１５を設けると共に、その下部前方に排水栓１５Ａを設ける。該バキュームタンク１５は、前記バキューム消臭ボックス１３Ａの中に設けた、バキューム機１３とバキュームホース１４で連結する。該バキュームホース１４の一方はバキュームタンク１５の上部に取り付ける。また、前記バキュームタンク１５の上部（バキュームホース１４の反対側）に吸引ホース１６を設けて取り付け、かつその先端に汚水吸引口１８を設けた洗浄汚水受１７を設けて取り付ける。洗浄汚水受け１７の汚水吸引口１８付近はやや低くなっている。バキュームタンク１５の後方の適宜位置にミスト機１９を設けて取り付け、付属の送水パイプ２０の先端に洗浄ノズル２１を取り付ける。また洗浄ノズル２１に併設して柔らかな刷毛２２を設けて取り付ける。刷毛２２は皮膚を撫でるため特に柔らかな刷毛を設ける。また、排泄処理のおむつ交換時には、吊り上げると自動的に開脚する開脚吊り具２１Ａと、両脚吊りベルト２２Ａを設けてホイスト５に連結し、介護者６Ｈの両脚を吊り上げて両脚と腰が浮くようにする。この用具の作用よって、おむつ交換、排泄洗浄処理作業等が容易になる。また、バキュームタンク１５の排水栓１５Ａは、トイレの便座より高くしてあるから、バキュームタンク１５に溜まった汚水１５Ｃは、排泄洗浄吸引処理機８をトイレ便器上まで移動し、排水栓１５Ａを開けて排水できる。
【００２１】床ずれを予防するため、図７の左右半身交互上下動装置９を設ける。基台３１を適宜形状に形成し、介護ベッド７の上に、前方、中央、後方の位置に３分割して設け、かつ、それらを複数個の蝶番３０Ａで連結する。該基台３１の分割によって屈折自在になるから、リクライニングする介護ベッドにも使用できる。また中央の基台３１は、介護ベッド７の各折れ曲がる部分の寸法に合わせ、その長さ寸法をやや短くする。この左右半身交互上下動装置９は、図７の基台３１の上面の右方位置に、適宜形状の押板２３と、同じくその対象位置に上板２４を設けてその両方を複数個の蝶番２５で連結する。また、上板２４の適宜位置に複数個の回動部２４Ａを設けて、基台３１上面の中央寄りの適宜位置に固定する。また押板２３の下面横中央の線上に、バランス車２３Ａを複数個設けて取り付けるとともに、該押板２３の後方の適宜位置に複数個の押車２３Ｂを設けて取り付ける。（バランス車２３Ａの効果は、押板２３がワイヤー２７等で引かれたとき、蝶番２５の部位がシーソーのように跳ね上がるため角度がついて、その引く力が減じられ容易になる。）また押板２３の一方を牽引するワイヤー２７を設けて、その一方を押板２３の端の所要位置に連結する。また該ワイヤー２７は、ワイヤーガイド車２６に掛けるとともに駆動チエーン３２の回動部３４に連結する。駆動チエーン３２はスプロケット３３に直結した減速モーター（不図示）によって駆動される。また、基台３１の上面の左位置にも、前記と同じ構造の押板２３と上板２４を設けて取り付けると共に、前記蝶番２５で連結しワイヤー２８を設けて、前記ワイヤーと同じく回動部３３に連結して往復運動を行うようにする。また、ワイヤー２７とワイヤー２８は基台３１の中央を通り、対称とする押板２３両方のそれぞれの所要位置に連結する。また、ワイヤーの張る、緩める。の調節は、各ワイヤーに取り付けたターンバックル２９で調節する。また、蝶番２５で連結された押板２３と上板２４は通常は略平らであるが、ワイヤーで牽引されると三角山を形成し、戻すと平らになる。三角山の形成は、押板２３がワイヤーで牽引されると、蝶番２５を介して上板２４を押し上げる。この時上板２４の中央寄りは、回動部２４Ａで基台３１に固定されているから、三角山は中央寄りに形成される。これが左右対称にあって作動すると、左右交互の上下運動即ちローリング運動が発生し介護者６Ｈもその動きに沿ってローリング運動を始める。また三角山の高さ調節は、前記のターンバックル２９を回して調節できる（ワイヤーを張ると高くなり、緩めると低くなる）。また、前記、三角山を形成する組み合わせが、各基台３１上面の対称位置あるから総数６カ所となり、それぞれに連結したワイヤーをターンバックル２９で張る、緩める。の調節をすると、前記ローリング運動が変化したローリング運動に変わり、介護者６Ｈの体に、ねじれを加えた状態で運動させることも可能になる。これらの調節によって更に筋肉に刺激を与え、血行を促進させることで床ずれを予防する。また前記ローリング運動は、静かにゆっくりと作動するから介護者の睡眠を誘う。
【００２２】  介護者６Ｈを水平に吊り上げ横に移動して、そのまま降ろして入浴させるため、釣り枠６の長さを、浴槽１０よりやや長い寸法で長方形に形成した吊り枠６を設ける。吊り枠６の幅は浴槽１０の中に入る幅にする。吊り枠６の長手方向の中央付近には中折れ部６Ａを設けて屈折可能にする。また吊り枠６の長手方向の両側に、適宜間隔を置いてハト目掛具３８Ａを複数個設けて取り付ける。また吊り枠６の中折れ部６Ａに適宜長さの吊りロット６Ｂを設け、かつその左右の適宜位置に吊りロープ６Ｃを取り付ける。取り付け方は、図２の様に、吊り上げると略水平になり、降ろすと、くの字状態（リクライニングした状態）になる。この機能により、介護者６Ｈを浴槽にそのまま降ろしても安定するから、介助者は介護者６Ｈを手で支えなくても入浴させることができる。
【００２３】介護者６Ｈを容易に吊り上げるため、吊りシーツ３５を任意素材で適宜寸法に形成し、その長手方向の左右にハト目３６を、前記ハト目掛具３８Ａの位置と合わせて必要数を設ける。この吊りシーツ３５は、介護者６Ｈが着ている寝巻の下に常に敷いて寝る。介護者６Ｈを吊り上げる時は、釣り枠６を降ろし、ハト目３６をハト目掛具３８Ａに掛けて容易に吊り上げることができる。
【００２４】  介護者６Ｈを入浴させるための用具ベルト通し具３７を形成するため、かまぼこ下板３８を任意素材で長方形に形成する。かつその上に、かまぼこ形状に形成した、かまぼこ３９を複数個設けて、かまぼこ下板３８の長手方向に適宜間隔を置き枕木状に並べて取り付ける。このベルト通し具３７は、寝ている介護者６Ｈの下に吊りベルト４０を通し易くする。
【００２５】入浴時に、介護者６Ｈを裸にして吊り上げるため、吊りベルト４０を滑らかな素材で適宜寸法に形成し、その両端の適宜位置にハト目３６を設ける。また、吊りベルト４０を介護者６Ｈの体の下に通すため、適宜形状に形成したベルトガイド４１を設け、かつその一方にハト目３６を掛けて引けるようにしたハト目掛け突起４２を設ける。吊りベルト４０は、介護者６Ｈの寝巻を広げた状態の裸の下に、前記かまぼこ３９の隙間を利用し、前記ベルトガイド４１に吊りベルト４０を掛け、かつ、その隙間に挿入すれば容易に通すことができる。この機能によって介護者６Ｈを容易に吊り上げ、かつホイスト５を移動させて入浴させることができる。本発明は、以上の様に各関連する介護用具を一つの枠内に置き、かつ前記レール３の下に沿って並べるように設置して、主要な介護作業を、一人の介助者でできるようにしたものである。
【符号の説明】
【００２６】１          介護用具設置ベース
２          レール支柱
３          レール
４          移動車
５          ホイスト
６          吊り枠
６Ｂ        吊りロット
６Ｃ        吊りロープ
６Ｈ        介護者
７          介護ベッド
８          排泄洗浄吸引処理機
９          左右半身交互上下動装置
９Ａ        駆動ボックス
１０        浴槽
１１        洗台
１２        台車
１３        バキューム機
１３Ａ      消臭ボックス
１４        バキュームホース
１５        バキュームタンク
１５Ａ      排水栓
１５Ｃ      汚水
１６        汚水吸引ホース
１７        洗浄汚水受
１８        汚水吸引口
１９        ミスト機
２０        送水パイプ
２１        洗浄ノズル
２１Ａ      開脚吊り具
２２        刷毛
２２Ａ      開脚吊りベルト
２３        押板
２３Ａ      バランス車
２３Ｂ      押車
２４        上板
２５        蝶番
２６        ワイヤーガイド車
２７        ワイヤー
２８        ワイヤー
２９        ターンバックル
３０        蝶番
３１        基台
３２        駆動チエーン
３３        スプロケット
３４        回動部
３５        吊りシーツ
３６        ハト目
３７        ベルト通し具
３８        かまぼこ下板
３９        かまぼこ
４０        吊りベルト
４１        ベルトガイド
４２        ハト目掛け突起
【図１】
2013121475.tif 000003
【図２】
2013121475.tif 000004
【図３】
2013121475.tif 000005
【図４】
2013121475.tif 000006
【図５】
2013121475.tif 000007
【図６】
2013121475.tif 000008
【図７】
2013121475.tif 000009
【図８】
2013121475.tif 000010
【図９】
2013121475.tif 000011
【図１０】
2013121475.tif 000012
【図１１】
2013121475.tif 000013